(57)【要約】【課題】分草体を左右に移動させて刈幅を調節する遠隔操作レバーを、運転席横側のサイド操作パネル上に配置された刈脱クラッチレバーや変速レバーの近くに配設することによって、各種レバーの操作性向上並びに作業性の向上を図る。【解決手段】左右方向端部に配置する右側分草体（１４Ｒ）を左右に移動させて刈幅を拡縮調節可能に構成し、該右側分草体（１４Ｒ）を左右に移動操作する遠隔操作レバー（１３）を運転席（５）の左側に設置されたサイド操作パネル（７）上に配置し、該遠隔操作レバー（１３）をサイド操作パネル（７）上に配置された刈取部及び脱穀部への回転動力を断続操作する刈脱クラッチレバー（９）と走行速度を変速操作する変速レバー（１０）の近傍に設ける。【選択図】      図２
2010004820.tif 000002
【特許請求の範囲】
【請求項１】
立毛穀稈を左右に分草する複数の分草体のうち、左右方向端部に配置する右側分草体（１４Ｒ）を左右に移動させて刈幅を拡縮調節可能に構成し、該右側分草体（１４Ｒ）を左右に移動操作する遠隔操作レバー（１３）を運転席（５）の左側に設置されたサイド操作パネル（７）上に配置し、該遠隔操作レバー（１３）をサイド操作パネル（７）上に配置された刈取部及び脱穀部への回転動力を断続操作する刈脱クラッチレバー（９）と走行速度を変速操作する変速レバー（１０）の近傍に設けたことを特徴とするコンバインの刈幅調節装置。
【発明の詳細な説明】
【技術分野】
【０００１】
この発明は、コンバインの刈幅調節装置に関する。
【背景技術】
【０００２】
従来、例えば、特許文献１には、未刈地側のナローガイドを左右内外へ揺動変位自在に設け、運転席横側のサイドコラムに設けた操作部材の操作により、ナローガイドを左側（外側）又は右側（内側）へ揺動操作するように構成したものが開示されている。
【特許文献１】特開２００６−４２６５０号公報
【発明の開示】
【発明が解決しようとする課題】
【０００３】
本発明の課題は、従来構成のものとは異なり、分草体を左右に移動させて刈幅調節を遠隔操作する遠隔操作レバーであって、運転席横側のサイド操作パネル上に配置された刈脱クラッチレバーや変速レバー等の近くに配設することによって、各種レバーの操作性向上並びに作業性の向上を図ることを目的とする。
【課題を解決するための手段】
【０００４】
この発明は、上記課題を解決すべく次のような技術的手段を講じた。
すなわち、立毛穀稈を左右に分草する複数の分草体のうち、左右方向端部に配置する右側分草体（１４Ｒ）を左右に移動させて刈幅を拡縮調節可能に構成し、該右側分草体（１４Ｒ）を左右に移動操作する遠隔操作レバー（１３）を運転席（５）の左側に設置されたサイド操作パネル（７）上に配置し、該遠隔操作レバー（１３）をサイド操作パネル（７）上に配置された刈取部及び脱穀部への回転動力を断続操作する刈脱クラッチレバー（９）と走行速度を変速操作する変速レバー（１０）の近傍に設けたことを特徴とするコンバインの刈幅調節装置とする。
【０００５】
遠隔操作レバー（１３）の前後方向の操作により、右側分草体（１４Ｒ）を左内側方又は右外側方へ移動操作し、刈取幅を広くしたり狭めたりして穀稈の刈取導入量を調整する。
【０００６】
遠隔操作レバー（１３）は、運転席横側のサイド操作パネル（７）上に配置し、且つ、刈脱クラッチレバー（９）や変速レバー（１０）の近傍に設けているので、刈脱クラッチレバー（９）の操作で刈取脱穀クラッチを入りにし、変速レバー（１０）の操作で機体を前進させながら刈取作業を行い、また、この作業中に遠隔操作レバー（１３）の操作で刈幅の変更調節を運転位置から容易に遠隔操作することができる。各種レバーがサイド操作パネル（７）上に集中的に設けられるため、各種レバー操作を手順よく行い得て操作性が向上し、作業能率が向上する。
【発明の効果】
【０００７】
本発明によれば、右側分草体（１４Ｒ）を左右に移動操作する遠隔操作レバー（１３）を、運転席（５）の左側のサイド操作パネル（１３）上にあって、刈脱クラッチレバー（９）や変速レバー（１０）の近傍に設けているので、刈脱クラッチレバー（９）の操作で刈取脱穀クラッチを入りにし、変速レバー（１０）の操作で機体を前進させながら刈取作業を行い、また、この作業中に遠隔操作レバー（１３）の操作で刈幅の調節を速やかに行え、運転位置から容易に遠隔操作することができる。従って、各種レバー操作が運転位置から手順よく容易に行えて操作性が向上し、ひいては作業能率の向上を図ることができる。
【発明を実施するための最良の形態】
【０００８】
この発明の実施例を図面に基づき説明する。
図１は、コンバインの側面図を示すものであり、この走行車体１には、左右一対の走行クローラ２，２を備え、後部に搭載した脱穀装置（脱穀部）３の前方部に刈取部４を設置し，刈取部４の横側部には運転席５、運転席前側のフロント操作ボックス６、運転席左横側のサイド操作パネル７等からなる運転操作部を備え、更に、その運転操作部の後方には脱穀粒を一時的に貯留するグレンタンクＧを装備している。
【０００９】
フロント操作ボックス６の右側には、左右方向の操作で機体の進行方向を操向制御し、前後方向の操作で刈取部４を昇降制御するパワステレバー８が設置されている。運転席５左側のサイド操作パネル７上には、刈取部４及び脱穀部３への回転動力を断続操作する刈脱クラッチレバー９、走行速を変速制御する変速レバー（ＨＳＴレバー）１０、副変速レバー１１、刈取変速レバー１２等が配置されている。
【００１０】
刈取部４は、立毛する穀稈を左右に分草する分草体１４，１４，１４…と、分草後の穀稈を引き起す３条の穀稈引起し装置１５，１５，１５と、引起し後の穀稈を刈り取る刈取装置１６と、刈取後の穀稈を掻込搬送する掻込搬送装置１７、掻込搬送後の穀稈を脱穀部に揚上搬送して供給する揚上搬送装置１８等からなり、車体に対し横方向に架設された刈取入力軸１９を支点として上下に昇降可能に装備している。各分草体１４，１４…は、刈取装置１６側から前方に突設する分草支持杆２１の先端に取り付けられている。
【００１１】
運転席５側に位置する、即ち、既刈地側に位置する右側分草体１４Ｒは、先端側が左内側方又は右外側方に向けて回動するよう分草支持杆２１の途中部に設けた上下方向の縦軸２２回りに回動自在に枢着している。なお、この右側分草体１４Ｒはスプリングにより常時左内側方に向けて回動するよう付勢した構成としている。右分草体１１Ｒとこれの回動操作を遠隔操作する遠隔操作レバー１３とは、操作ワイヤ２３で接続して設け、該遠隔操作レバー１３の操作により、右分草体１１Ｒを左内側、又は右外側へ回動操作する構成としている。従って、遠隔操作レバー１３を前方に揺動操作すると、右側分草体１４Ｒの先端が左内側方に回動して分草幅（刈幅）が狭くなり、分草幅内に導入される穀稈量は少なくなる。また、遠隔操作レバー１３を後方に揺動操作すると、右側分草体１４Ｒは右外側方へ開く方向に回動して分草幅が広くなり、導入される穀稈量が多くなるようになっている。
【００１２】
そして、遠隔操作レバー１３は、運転席横側部のサイド操作パネル７上に配置すると共に、前記刈脱クラッチレバー９の近くでこれより外側（刈取部側）に並設した構成としている。また、この遠隔操作レバー１３は、操作が容易となるように途中部から外側に向けて折り曲げると共に、操作パネル７ａの左端と防塵カバー２４の右側面との間に配置して取扱性向上を図るように構成している。
【００１３】
遠隔操作レバー１３の回動支点部Ｐ及び操作ワイヤ２３は、刈取上下支点である刈取入力軸１９の上部後方に集中配置し、サイド操作パネル７内に内装することによって刈取上下時におけるワイヤの屈曲防止を図るようにしている。各種レバーの組立容易化を図るため、サイド操作パネル７上の操作パネル７ａは着脱自在に構成している。
【００１４】
図５及び図６の実施例で示すように、刈取部に設置した右側分草体１４Ｒの操作ワイヤ２３、方向制御センサ３０のセンサハーネス３１、注油ポンプ３２から作業部に注油する注油ホース３３、ナローガイド３４のワイヤ３５等は、刈取部を上下に昇降させる刈取縦フレーム２０上に沿わせて集中的に配置し、刈取入力軸１９を架設する上部回動ケース２５付近で固定具２６により集束保持させて、マッチング時の組立性容易化を図るように構成している。
【００１５】
次にナローガイドの遠隔操作構成について説明する。
図７に示すように、刈取部４の未刈地側横側部には、外側方に張り出す分草作用姿勢と機体側に収納する収納姿勢とに切替可能なナローガイド３４が設けられている。このナローガイド３４は、前端部が未刈地側（左側）の分草体１４Ｌの背部位置で分草支持杆２１の前端部に回動自在に枢支され、後端が走行フレームに前後方向スライド可能に支持されており、そして、第１リンク３７ａと第２リンク３７ｂからなる横幅方向に伸縮可能な屈伸リンク３７を介して張出し・収納自在に連係され、脱穀部の扱胴カバー２７上に設けられた操作レバー３６によって遠隔操作できるように連動構成されている。  
【００１６】
左側（未刈地側）の分草支持杆２１、分草杆連結具３８（又は引起し伝動パイプ４４）から突設するステー３９ａ，３９ｂを介して支持されたブラケット４０には上下方向に立設する回動軸４１が軸支され、また、この回動軸４１には天秤アーム４２と前記屈伸リンク３７の第１リンク３７ａが一体に回動するよう固定されている。天秤アーム４２の一端側にはナローガイドワイヤ３５の一端側が連結され、該ワイヤ３５の他端側は前記ナローガイド操作レバー３６に連動連結されている。天秤アーム４２の他端側と分草杆連結具３８との間には、天秤アーム４０を反時計方向に付勢する引張スプリング４３が設けられている。前記ステー３９ａとブラケット４０とはボルト４５により該ボルト軸芯回りに回動可能に締付固定し、ステー３９ａとブラケット４０とは、ボルト４６ａ、ナット４６ｂ、スプリング４６ｃ等からなる締付固定具４６により上下方向の長穴４７を介して締付固定することで、ナローガイドの高さが任意に調整できる構成としている。なお、ステー３９ａには所定範囲以上の回動を規制するストッパ４８が設けられている。
【００１７】
また、図８に示すように、ブラケット４０の回動軸芯（ボルト４５）がナローガイド３４の作用位置より下側位置となるよう設定することで、ナローガイド外側方への張出し作用位置にて衝突した場合でも、ナローガイド自体が変形する前に上側に回動（実線位置から仮想線位置）して回避することができる。
【００１８】
刈取変速機構を内装する刈取変速ギヤケース５０は、この変速軸部の凸部５０ａが刈取部を上下動させる刈取縦フレーム２０に対して刈取入力プーリ５１に掛け渡す伝動ベルトラインより反対側となる位置に配設している。これにより、刈取縦フレームを刈取部に対して中央近くに配置でき、左右バランスの安定化を図ることができる。
【００１９】
また、図５及び図６に示すように、刈取変速ギヤケース５０の左外側方には、揚上搬送装置１８の扱深さ調節用供給チエン１８ａを上下に駆動操作する扱深さ調節用駆動モータ５２を配置している。更に、刈取変速ギヤケース５０を左側の走行クローラ２よりも上方に配置することで、わら屑の堆積や泥押しの回避が容易に行える。刈取変速ギヤケース５０を刈取縦フレーム２０上に設置し、上下に２分割構成とすることで、メンテナンス性向上並びに組立容易化を図ることができる。また、刈取変速ギヤケースは、刈取懸架台５３上で供給穂先チエン部より下方に配置することで、わら屑や泥などのゴミ溜まりを防止することができる。
【図面の簡単な説明】
【００２０】
【図１】コンバインの側面図
【図２】コンバインの正面図
【図３】同上要部の平面図
【図４】コンバイン一部の側面図
【図５】コンバイン要部の側面図
【図６】同上要部の正面図
【図７】刈取部の要部の平面図
【図８】同上要部の側面図
【符号の説明】
【００２１】
５    運転席
７    サイド操作パネル
９    刈脱クラッチレバー
１０    変速レバー
１３    遠隔操作レバー
１４Ｒ  右側分草体
【図１】
2010004820.tif 000003
【図２】
2010004820.tif 000004
【図３】
2010004820.tif 000005
【図４】
2010004820.tif 000006
【図５】
2010004820.tif 000007
【図６】
2010004820.tif 000008
【図７】
2010004820.tif 000009
【図８】
2010004820.tif 000010